【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
源記事を受けとる工程と、
前記源記事内の複数の領域を識別する工程と、
各領域に表示された少なくとも一つの局所的概念を決定する工程と、
各領域の前記局所的概念を解析して無関係の概念を識別する工程と、
前記源記事の源意味から無関係の概念を削除する工程と、
前記源意味および項目の意味の関係の少なくとも一部に基づいて、前記源記事と一群の項目群から選択された項目とを一致させる工程と
を含むことを特徴とする方法。
【請求項２】
一致した項目を前記源記事に表示する工程をさらに含むことを特徴とする請求項１記載の方法。
【請求項３】
前記源記事はウェブページを含み、前記一致した項目はキーワードを含むことを特徴とする請求項２記載の方法。
【請求項４】
前記源記事はウェブページを含み、前記一致した項目は広告を含むことを特徴とする請求項２記載の方法。
【請求項５】
前記一致した項目に関連するコンテンツを前記源記事に表示する工程をさらに含むことを特徴とする請求項１記載の方法。
【請求項６】
前記源記事はウェブページを含み、前記一致した項目はキーワードを含み、前記関連コンテンツは広告を含むことを特徴とする請求項５記載の方法。
【請求項７】
前記源記事は第一のウェブページを含み、前記一致した項目は第二のウェブページを含み、前記関連コンテンツは広告を含むことを特徴とする請求項５記載の方法。
【請求項８】
前記源記事は第一のウェブページを含み、前記一致した項目は第二のウェブページを含み、前記関連コンテンツは前記第二のウェブページへのリンクを含むことを特徴とする請求項５記載の方法。
【請求項９】
前記源意味と項目の意味を一致させる工程は、バイアス因子を用いて源記事と前記項目を一致させる工程を含むことを特徴とする請求項１記載の方法。
【請求項１０】
前記源意味は重み付けられた概念ベクトルを含むことを特徴とする請求項１記載の方法。
【請求項１１】
前記少なくとも一つの局所的概念を決定する工程は、局所的概念毎にスコアを決定する工程を含み、
各領域で最高スコアを持つ前記局所的概念は最も関連する局所的概念を含むことを特徴とする請求項１記載の方法。
【請求項１２】
前記無関係の領域を識別する工程は、
局所的概念毎に修正後スコアを決定する工程と、
前記修正後スコアに基づいて全ての局所的概念にランクづけしたグローバルリストを決定する工程と、
前記グローバルリストで修正後スコアの合計が所定の合計スコア未満である局所的概念を削除してその結果としてのリストを作成する工程と、
前記結果としてのリスト内で最も関連性の低い局所的概念を含む無関係領域を決定する工程と、
前記結果としてのリストから前記無関係領域に表示された局所的概念を削除して関連概念リストを作成する工程と
を備えること特徴とする請求項１１記載の方法。
【請求項１３】
前記源意味を決定する工程は、前記関連概念の前記修正後スコアを正規化する工程を含むことを特徴とする請求項１２記載の方法。
【請求項１４】
機械に操作を実行可能とするプログラムコードを備えるコンピュータ読取可能媒体を含む物品であって、
前記操作には
源記事を受けとる工程と、
前記源記事内の複数の領域を識別する工程と、
各領域に表示された少なくとも一つの局所的概念を決定する工程と、
各領域の前記局所的概念を解析して無関係の概念を識別する工程と、
前記源記事の源意味から無関係の概念を削除する工程と、
前記源意味および項目の意味の関係の少なくとも一部に基づいて、前記源意味と一群の項目群から選択された項目とを一致させる工程と
が含まれることを特徴とする前記物品。
【請求項１５】
前記操作は一致した項目を前記源記事に表示する工程をさらに含むことを特徴とする請求項１４記載の物品。
【請求項１６】
前記源記事はウェブページを含み、前記一致した項目はキーワードを含むことを特徴とする請求項１５記載の物品。
【請求項１７】
前記源記事はウェブページを含み、前記一致した項目は広告を含むことを特徴とする請求項１５記載の物品。
【請求項１８】
前記操作は、前記一致した項目に関連するコンテンツを前記源記事に表示する工程をさらに含むことを特徴とする請求項１４記載の物品。
【請求項１９】
前記源記事はウェブページを含み、前記一致した項目はキーワードを含み、前記関連コンテンツは広告を含むことを特徴とする請求項１８記載の物品。
【請求項２０】
前記源記事は第一のウェブページを含み、前記一致した項目は第二のウェブページを含み、前記関連コンテンツは広告を含むことを特徴とする請求項１８記載の物品。
【請求項２１】
前記源記事は第一のウェブページを含み、前記一致した項目は第二のウェブページを含み、前記関連コンテンツは前記第二のウェブページへのリンクを含むことを特徴とする請求項１８記載の物品。
【請求項２２】
前記源意味と項目の意味を一致させる工程は、バイアス因子を用いて前記源意味と項目の意味を一致させる工程を含むことを特徴とする請求項１４記載の物品。
【請求項２３】
前記源意味は重み付けられた概念ベクトルを含むことを特徴とする請求項１４記載の物品。
【請求項２４】
前記無関係の概念を削除する工程は関連局所的概念をランクづけする工程を含むことを特徴とする請求項１４記載の物品。
【請求項２５】
前記少なくとも一つの局所的概念を決定する工程は、局所的概念毎にスコアを決定するための工程を含み、各領域内で最高スコアを持つ前記局所的概念は最も関連する局所的概念を含むことを特徴とする請求項１４記載の物品。
【請求項２６】
無関係の領域を識別するための工程は、
局所的概念毎に修正後スコアを決定する工程と、
前記修正後スコアに基づいて全ての局所的概念にランクづけしたグローバルリストを決定する工程と、
前記グローバルリストでの修正後スコアの合計が所定の合計スコア未満である局所的概念を削除してその結果としてのリストを作成する工程と、
前記結果としてのリスト内で最も関連性の低い局所的概念を含む無関係領域を決定する工程と、
前記結果としてのリストから前記無関係領域に表示された局所的概念を削除して関連概念リストを作成する工程と
を含むこと特徴とする請求項２５記載の物品。
【請求項２７】
前記源意味を決定する工程は、前記関連概念の修正後スコアを正規化する工程を含むことを特徴とする請求項２６記載の物品。
【請求項２８】
源記事を受けとる工程と、
前記源記事内の第一のコンテンツ領域と第二のコンテンツ領域を識別する工程と、
前記第一のコンテンツ領域に表示された第一の局所的概念を決定し、前記第二のコンテンツ領域に表示された少なくとも第二の局所的概念を決定する工程と、
少なくとも前記第一の局所的概念の一部に基づいて広告集合のうちの第一の広告と前記第一のコンテンツ領域を一致させる工程と、
少なくとも前記第二の局所的概念の一部に基づいて項目集合のうちの第二の項目と前記第二のコンテンツ領域を一致させる工程と、および
一致した広告を前記源記事上に表示する工程と
を含むことを特徴とする方法。
【請求項２９】
前記適合した広告を表示する工程は、
前記第一のコンテンツ領域の第１の広告を表示する工程と、
前記第二のコンテンツ領域の第２の広告を表示する工程を含むことを特徴とする請求項２８記載の方法。
【請求項３０】
前記源記事はウェブページを含むことを特徴とする請求項２８記載の方法。
【請求項３１】
前記源記事はウェブページを含むことを特徴とする請求項２８記載の方法。
【請求項３２】
文章を受けとる工程と、
前記文章内の異なる領域の集合を識別する工程と、
前記集合中の各異なる領域に表示された概念を決定する工程と、
第１の領域に表示された第１の概念であって、前記集合中の他の領域に表示された概念とは無関係である前記第１の概念を特定する工程と、
決定した前記文章のための源意味から前記第１の概念を削除する工程と、
前記文章の前記源意味を決定する工程と、および
ユーザが使用可能な前記源意味を作成する工程と、
を含むことを特徴とする方法。
【請求項３３】
前記文章中の前記異なる領域の集合を特定する工程は、ウェブページ文章中のフレームを特定することを含むことを特徴とする請求項３２記載の方法。
【請求項３４】
前記文章中の前記異なる領域の集合を特定する工程は、前記文章中のマークアップに基づいて異なる領域を特定する工程を含むことを特徴とする請求項３２記載の方法。
【請求項３５】
前記概念を決定する工程は、前記集合中の前記異なる領域の各領域において関連するワードの集合を特定する工程を含むことを特徴とする請求項３２記載の方法。
【請求項３６】
前記集合中の各前記異なる領域に表示された前記概念に基づいて広告を選択する工程と、
前記文章および選択されたユーザが出力可能な広告を作成する工程と、
をさらに含むことを特徴とする請求項３２記載の方法。